(57)【要約】【課題】プラント情報処理装置に対して一組の操作設定装置のみとし、運転員の負担を軽減するとともに、マルチモニタ構成のプラント監視制御装置の導入コストを抑える。【解決手段】プラント情報処理装置１０は、ポインタ装置の操作位置情報により操作対象表示装置１１，１２を判定するポインタ位置確認手段１０４、ポインタ位置確認手段１０４により判定された操作対象表示装置を保存する操作対象モニタ保存手段１０７、プラント機器・設備の操作設定の情報を受け、操作対象モニタ保存手段１０７に保存された操作対象表示装置を取得し、プラント機器・設備の操作設定の情報とともに操作対象表示装置を出力する操作設定処理手段１０６、操作設定処理手段１０６の出力をネットワークを介してプラントの情報バス２０へ送るとともに、操作対象表示装置のプラント監視画面に画面表示させる表示命令を出力するプラント情報処理手段１０１を備えたものとする。【選択図】図２
2008152613.tif 000002
【特許請求の範囲】
【請求項１】
プラントの機器・設備の状態を収集するためのネットワークと、上記ネットワークに接続して上記プラントの機器・設備の状態を収集・蓄積・処理を行うとともに、上記プラントの情報バスを通じて上記プラントの機器・設備に対して制御・設定操作を出力するプラント情報処理装置と、上記プラント情報処理装置の一台に接続された複数の表示装置と、上記プラント情報処理装置の一台に接続された上記プラント情報処理装置にプラント機器・設備の操作設定の情報を入力する操作設定装置及び上記複数の表示装置の中の操作対象表示装置の操作位置情報を入力するポインタ装置を備えたマルチモニタ構成のプラント監視制御装置において、
上記プラント情報処理装置は、上記ポインタ装置の操作位置情報により上記操作対象表示装置を判定するポインタ位置確認手段と、
上記ポインタ位置確認手段により判定された操作対象表示装置を保存する操作対象モニタ保存手段と、
上記プラント機器・設備の操作設定の情報を受け、上記操作対象モニタ保存手段に保存された操作対象表示装置を取得し、上記プラント機器・設備の操作設定の情報とともに操作対象表示装置を出力する操作設定処理手段と、
上記操作設定処理手段の出力を上記ネットワークを介して上記プラントの情報バスへ送るとともに、上記操作対象の表示装置のプラント監視画面に画面表示させる表示命令を出力するプラント情報処理手段と、
を備えたことを特徴とするマルチモニタ構成のプラント監視制御装置。
【請求項２】
上記ポインタ装置は、上記表示装置のプラント監視画面にポインタが表示され、上記ポインタ装置は、上記ポインタを上記複数の表示装置間をまたがって移動させ、上記ポインタ位置確認手段は上記移動の量から上記操作対象表示装置を判定することを特徴とする請求項１記載のマルチモニタ構成のプラント監視制御装置。
【請求項３】
上記ポインタ位置確認手段は、上記ポインタの位置を確定する手段により確定された後、上記操作対象の表示装置を判定することを特徴とする請求項２記載のマルチモニタ構成のプラント監視制御装置。
【請求項４】
上記プラント監視画面に強調表示エリアが設けられ、上記プラント情報処理手段は、上記操作対象表示装置の強調表示エリアを強調表示で表示する表示命令を出力することを特徴とする請求項１記載のマルチモニタ構成のプラント監視制御装置。
【請求項５】
上記操作設定装置は、各表示装置に対応する信号を出力し、上記表示装置に対応する信号の出力により上記操作対象表示装置が選択されることを特徴とする請求項１記載のマルチモニタ構成のプラント監視制御装置。
【請求項６】
上記プラント情報処理装置は、上記複数の表示装置のリストを保存したモニタ数管理手段を備え、上記ポインタは、順方向及び逆方向に回転させて上記表示装置を選択するためのホイール型操作器を備え、上記ポインタ位置確認手段は、上記操作対象モニタ保存手段が保存する現在の操作対象の表示装置と上記ホイール型操作器の回転の情報から、上記モニタ数管理手段のリストを参照して上記操作対象表示装置を判定することを特徴とする請求項１記載のマルチモニタ構成のプラント監視制御装置。
【請求項７】
上記プラント情報処理装置は、上記複数の表示装置のリストを保存したモニタ数管理手段を備え、上記操作設定装置は、上記表示装置の選択を順方向及び逆方向に変えるボタンを備え、上記操作設定処理手段は、上記操作対象モニタ保存手段が保存する現在の操作対象の表示装置と上記ボタンの選択の情報から、上記モニタ数管理手段のリストを参照して上記操作対象表示装置を判定することを特徴とする請求項１記載のマルチモニタ構成のプラント監視制御装置。
【発明の詳細な説明】
【技術分野】
【０００１】
この発明は、プラント監視制御装置、特に、上下水道プラント等各種産業プラントにおいて、プラント機器・設備の操作を行うプラント監視制御装置に関するものである。
【背景技術】
【０００２】
従来のプラント監視制御装置は、プラントの情報バスからプラント機器や設備の状態の収集・蓄積・処理を行い、プラントの情報バスを通じてプラント機器や設備に対して制御・設定操作を出力するためのプラント情報装置と、プラント情報を表示するＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などの表示装置（以下、モニタと称する）と、キーボード、スイッチ、ダイアル等の運転操作設定装置（以下、操作設定装置と称する）と、マウス、トラックボール、タッチパネル、タブレット等のポインタ入力装置（以下、ポインタ装置と称する）とから構成される一式を接続してプラントの監視制御を実現している。このとき、プラントの規模が大きい場合、監視・操作対象となるプラント機器・設備も増大するため、複数のプラント監視制御装置をプラントの情報バスに接続することにより対応している（例えば、特許文献1参照）。
【０００３】
複数のプラント監視制御装置をプラントの情報バスに接続する方法では、監視対象を増やすことができるが、同時に、プラント監視制御装置毎にプラント監視制御装置の本体である情報処理装置や操作設定装置やポインタ装置等を一式で設置する必要があるため、装置数が増えることにより導入コストが増大する。この場合、本体一台に対してモニタを複数台接続するマルチモニタ構成を用いると、本体の設置台数を削減することができ、導入コストを抑えることができる。
【０００４】
プラント監視制御装置にマルチモニタ構成を用いた場合、各々のモニタに監視画面を表示し、各々の監視画面からプラントの設備・機器に対して操作設定を行うことができる。しかし、一般的なマルチモニタ構成では、モニタが複数接続されているものの、操作設定装置やポインタ装置は一組しか接続していないため、運転員が操作設定装置を利用してプラント機器・設備へ設定操作を行う場合、運転員が、誤って注視しているモニタと異なるモニタの設定操作を行ってしまう可能性がある。
【０００５】
そのような誤操作を防ぐため、運転員がどのモニタを操作中かを特定する手段として、モニタ毎に操作設定装置やポインタ装置を設置し、本体内部にいずれのモニタに対応した装置からの入力かを判定する機構を本体内部に設ける方法が提案されている（例えば、特許文献２参照）。
【０００６】
【特許文献１】特開平６−２３３４７７号公報（第４頁、図１）
【特許文献２】特開２０００−１１２５９７号公報（第４頁、図１）
【発明の開示】
【発明が解決しようとする課題】
【０００７】
上記特許文献２の方法では、モニタ毎に操作設定装置やポインタ装置を設置しているため、運転員が操作対象のモニタを変える度に、操作設定装置やポインタ装置を持ち替える必要があり、運転員の負担が大きいといった問題がある。
【０００８】
また、モニタ毎に操作設定装置やポインタ装置を設置することは、プラント監視制御装置の導入コストを増大させる要因となる。
【０００９】
この発明は、上記のような問題点を解決するためになされたものであり、マルチモニタ構成のプラント監視制御装置において、モニタ毎に操作設定装置やポインタ装置を設置せず、本体に対して一組のポインタ装置及び操作設定装置のみとすることにより、運転員の負担を軽減するとともに、マルチモニタ構成のプラント監視制御装置の導入コストを抑えることを目的としている。
【課題を解決するための手段】
【００１０】
この発明に係るマルチ構成のプラント監視制御装置は、プラントの機器・設備の状態を収集するためのネットワークと、上記ネットワークに接続して上記プラントの機器・設備の状態を収集・蓄積・処理を行うとともに、上記プラントの情報バスを通じて上記プラントの機器・設備に対して制御・設定操作を出力するプラント情報処理装置と、上記プラント情報処理装置の一台に接続された複数の表示装置と、上記プラント情報処理装置の一台に接続された上記プラント情報処理装置にプラント機器・設備の操作設定の情報を入力する操作設定装置及び上記複数の表示装置の中の操作対象表示装置の操作位置情報を入力するポインタ装置を備えたマルチ構成のプラント監視制御装置において、
上記プラント情報処理装置は、上記ポインタ装置の操作位置情報により上記操作対象表示装置を判定するポインタ位置確認手段と、
上記ポインタ位置確認手段により判定された操作対象表示装置を保存する操作対象モニタ保存手段と、
上記プラント機器・設備の操作設定の情報を受け、上記操作対象モニタ保存手段に保存された操作対象表示装置を取得し、上記プラント機器・設備の操作設定の情報とともに操作対象表示装置を出力する操作設定処理手段と、
上記操作設定処理手段の出力を上記ネットワークを介して上記プラントの情報バスへ送るとともに、上記操作対象の表示装置のプラント監視画面に画面表示させる表示命令を出力するプラント情報処理手段と、
を備えたものである。
【発明の効果】
【００１１】
この発明に係るマルチモニタ構成のプラント監視制御装置によれば、導入コストを抑えるとともに、プラントの運転員の負担を軽減することができる。
【発明を実施するための最良の形態】
【００１２】
以下、この発明に係るマルチモニタ構成のプラント監視制御装置の実施の形態を図に基づいて説明する。
実施の形態１．
図１は、この発明に係るマルチモニタ構成のプラント監視制御装置の実施の形態１を示すブロック図、図２は、図１における情報処理装置内部の構成を示すブロック図である。
【００１３】
図１に示したように、この実施の形態１マルチモニタ構成のプラント監視制御装置は、プラント情報処理装置１０、モニタ１１，１２、操作設定装置１３、ポインタ装置１４を備える。
また、表示装置１１，１２には、プラント監視画面１１１，１２１を表示する。
プラント監視画面１１１，１２１は、ネットワークを介してプラント情報バス２０から収集されたプラント情報を、プラント機器・設備に対応したシンボル１１２，１２２として表示する。
【００１４】
プラントの運転員は、ポインタ装置１４を用いて、ポインタ１４１を操作する。ポインタ１４１は、モニタ１１及び１２をまたがって移動することができる。また、ポインタ１４１は、シンボル１１２または１２２を指定することができる。操作設定装置１３は、ポインタ１４１が指定したシンボル１１２または１２２の操作（ＯＮ・ＯＦＦ）や設定（数値入力）をすることができる。
【００１５】
プラント情報処理装置１０は、プラント情報処理手段１０１、マルチモニタ表示手段１０２、ポインタ装置入力手段１０３、ポインタ位置確認手段１０４、操作設定装置入力手段１０５、操作設定処理手段１０６、操作対象モニタ保存手段１０７及び情報バス入出力手段１０８を備える。
【００１６】
ポインタ位置確認手段１０４は、ポインタ装置入力手段１０３から運転員のポインタ１４１の操作情報を受け、操作対象のモニタ１１，１２がいずれかを判断し、操作対象モニタ保存手段１０７に操作対象のモニタ１１，１２を操作対象モニタ保存手段１０７に保存するとともに、プラント情報処理手段１０１にポインタ１４１の移動を通知する。
【００１７】
操作設定処理手段１０６は、操作設定装置入力手段１０５から運転員のプラント機器・設備の操作設定の情報を受け、操作対象モニタ保存手段１０７から操作対象モニタを取得し、取得した操作対象モニタとともに、操作設定の情報をプラント情報処理手段１０１に通知する。
【００１８】
プラント情報処理手段１０１は、操作設定処理手段１０６からの通知を情報バス入出力手段１０８からネットワークを介して情報バス２０に送る。
また、プラント情報処理手段１０１は、情報バス入出力手段１０８からプラント情報バス２０のプラント情報を取得し、マルチモニタ表示手段１０２に表示指令を出力し、マルチモニタ表示手段１０２はモニタ１１，１２にプラント情報バス２０から収集されたプラント情報を、プラント機器・設備に対応したシンボル１１２，１２２として表示する。
【００１９】
図３及び図４は、プラント情報処理装置１０の動作を説明するフローチャートである。  図３において、運転員によるポインタ装置１４の操作があると、その操作をポインタ装置入力手段１０３からポインタ位置確認手段１０４が受信し（Ｓ３０）、ポインタ位置確認手段１０４は、ポインタ１４１のプラント監視画面１１１，１２１間の移動の有無を判定し（Ｓ３１）、ポインタ１４１が移動していなければ終了する（Ｓ３５）。ポインタ位置確認手段１０４は、ポインタ１４１が移動したと判定した場合にはポインタ１４１の移動量からポインタ１４１の位置を計算して操作対象モニタを判定し（Ｓ３２）、操作対象モニタを操作対象モニタ保存手段１０に保存するとともに、プラント情報処理手段１０１ａにポインタの移動を通知する（Ｓ３３）。ポインタ位置確認手段１０４は、ポインタ装置１４の入力が終了しているかを判定し（Ｓ３４）、終了していれば完了し（３５）、終了していなければポインタ１４１の移動の有無を判定する（Ｓ３１）。
【００２０】
図４において、運転員による操作設定装置１３の操作があると、操作設定処理手段１０６は、操作設定装置入力手段１０５から操作設定入力通知を受信し（Ｓ４０）、操作設定情報の入力か判定し（Ｓ４１）、操作設定情報の入力でなければ終了する（Ｓ４５）。操作設定情報の入力であれば、操作設定処理手段１０６は、操作対象モニタ保存手段１０７に操作対象モニタを問い合わせ（Ｓ４２）、操作設定装置入力手段１０５から得た操作設定情報と操作対象モニタ保存手段１０７の応答から得た操作対象モニタの情報を併せて、プラント情報処理手段１０１へ通知し（Ｓ４３）、プラント機器・設備操作が情報バス入出力手段１０８からネットワークを介して情報バス２０へ送られる。操作設定処理手段１０６は、操作設定入力が終了しているか判断し（Ｓ４４）、終了していれば完了し（Ｓ４５）、終了していなければ操作設定情報の有無を判定する（Ｓ４１）。
【００２１】
以上のように、この実施の形態１によれば、ポインタ位置確認手段１０４がポインタ１４１の移動量からポインタ１４１の位置を計算して操作対象モニタを判定し、操作対象モニタを操作対象モニタ保存手段１０に保存することにより、操作設定装置１３から入力された操作設定は、いずれのモニタを対象としいているかが自動的に判断され、運転員の負担が軽減され、かつ、複数のモニタに対して一式の操作設定装置１３とポインタ装置１４で対応できるので、装置の導入コストを抑えることができる。
【００２２】
実施の形態２．
上記実施の形態１では、ポインタ位置確認手段１０４がポインタ１４１の移動量から操作対象のモニタ１１または１２を判定するようにしたが、この実施の形態２では、ポインタ位置確認手段１０４がポインタ装置１４に付属するボタンを押下することによるポインタの位置確定手段により位置を確定したことで操作対象のモニタ１１または１２を判定するようにしたものである。
【００２３】
図５は、この実施の形態２におけるプラント情報処理装置であり、図２と異なるのは、ポインタ位置確認手段１０４の動作が異なる点である。図６は、この実施の形態２におけるポインタ位置確認手段１０４の動作を示すフローチャートである。
【００２４】
図６において、ポインタ位置確認手段１０４は、ポインタ装置入力手段１０３からポインタ１４１の入力通知を受けると（Ｓ６０）、ポインタ装置１４に付属するボタンの押下の有無を判定し（Ｓ６１）、ポインタ装置１４に付属するボタンの押下が無ければ終了する（Ｓ６４）。ポインタ装置１４に付属するボタンの押下があればポインタ１４１の移動量からポインタ１４１の位置を計算して操作対象のモニタ１１または１２を判定し（Ｓ６２）、操作対象モニタを操作対象モニタ保存手段１０に保存する（Ｓ６３）。ポインタ位置確認手段１０４は、ポインタ装置１４の入力が終了しているかを判定し、終了していれば完了し（Ｓ６５）、終了していなければポインタ１４１の移動の有無を判定する（Ｓ６１）。
【００２５】
この実施の形態２によれば、ポインタ位置確認手段１０４が、ポインタ１４１の移動だけでなく、ポインタ装置１４に付属するボタンの押下による位置確定手段による位置確定の有無で判断するので、運転員の操作動作を確実に把握することができる。
【００２６】
実施の形態３．
図７は、この発明に係るマルチモニタ構成のプラント監視制御装置の実施の形態３を示すブロック図、図８は、図７における情報処理装置内部の構成を示すブロック図、図９は情報処理装置内部のプラント情報処理手段１０１ａの動作を説明するフローチャートである。
【００２７】
この実施の形態３では、上記実施の形態１及び２で判定した操作対象モニタにおいて強調表示を行うことにより、プラントの運転員に確実に操作対象モニタを通知する。
【００２８】
図７に示したように、モニタ１１，１２のプラント監視画面１１１，１２１に強調表示エリア１１３，１２３を設けており、図７では、ポインタ１４１が存在する操作対象モニタであるモニタ１１の強調表示エリア１１３が強調表示色で表示され、操作対象モニタでないモニタ１２の強調表示エリア１２３は強調表示されていない状態を示している。
【００２９】
図８に示したように、プラント情報処理手段１０１ａは操作対象モニタ保存手段１０７に操作対象モニタを問い合わせて操作対象モニタを取得し、マルチモニタ表示手段１０２に操作対象モニタの強調表示エリアを強調表示色で表示する命令を出力する。
【００３０】
図９に示したように、プラント情報処理手段１０１ａは、ポインタ位置確認手段１０４よりポインタ移動の通知を受け取った場合（Ｓ９０）、操作対象モニタ保存手段１０７に操作対象モニタを問い合わせる（Ｓ９１）。操作対象モニタ保存手段１０７からの応答を受けると、マルチモニタ表示手段１０２に対して操作対象モニタの強調表示エリアを強調表示色に変更するように通知する（Ｓ９２）とともに、操作対象以外のモニタの強調表示エリアを非強調表示色に変更するように通知する（Ｓ９４）。ポインタ移動の通知の有無を判断し、無ければ完了し（Ｓ９５）、有れば操作対象モニタ保存手段１０７に操作対象モニタを問い合わせる（Ｓ９１）。
【００３１】
この実施の形態３によれば、モニタ１１，１２に強調表示エリア１１３，１２３を設け、操作対象モニタの強調表示エリアを強調表示色で表示するようにしたので、運転員はどのモニタが操作対象になっているかを確実に認識することできる。
【００３２】
実施の形態４．
図１０は、この発明に係るマルチモニタ構成のプラント監視制御装置の実施の形態４における情報処理装置内部の構成を示すブロック図、図１１は情報処理装置内部の操作設定処理手段１０６ａの動作を説明するフローチャートである。
【００３３】
この実施の形態４では、図１に示した操作設定装置１３に付属しているボタンに予めモニタ番号を割り付けておくものであり、操作設定装置１３の操作対象とするモニタの付属ボタンを押下することにより操作対象モニタを変更できるようにしたものである。
【００３４】
図１０において、操作設定処理手段１０６ａは、操作設定の入力かを判定する機能及び操作対象モニタ保存手段１０７から操作設定装置１３で選択された操作対象モニタを取得する機能に加え、運転員による操作設定装置１３の操作がモニタ番号を割り付けたボタンの押下かを判定し、押下であれば選択された操作対象モニタを操作対象モニタ保存手段１０７に保存する機能を有する。
【００３５】
図１１に示したように、操作設定処理手段１０６ａは、運転員による操作設定装置１３の操作を操作設定装置入力手段１０５から受信すると（Ｓ１１０）、操作設定情報の入力か判定し（Ｓ１１１）、操作設定情報の入力でなければモニタ番号を割り付けてあるボタンの押下か判定し（Ｓ１１６）、モニタ番号を割り付けてあるボタンの押下でなければ完了し、モニタ番号を割り付けてあるボタンの押下であれば、選択されたモニタを操作対象モニタ保存手段１０７に保存する。
【００３６】
また、操作設定情報の入力か判定し（Ｓ１１１）、操作設定情報の入力であれば、操作対象モニタ保存手段１０７から操作設定装置１３で選択された操作対象モニタを取得し（Ｓ１１２）、操作設定装置入力手段１０５から受信した操作設定情報と操作対象モニタ保存手段１０７から取得した操作対象モニタの情報とを併せてプラント情報処理手段１０１へ通知する（Ｓ１１３）。操作設定入力が終了しているかを判定し（Ｓ１１４）、終了していれば完了し（Ｓ１１５）、終了していなければ操作設定情報の有無を判定する（Ｓ１１１）。
【００３７】
以上のように、この実施の形態４によれば、ポインタ装置１４を操作することなく、操作設定装置１３のボタンの押下の操作のみで操作対象モニタを変更し、プラント機器の操作・設定ができるので、運転員の操作の負荷を軽減することができる。
【００３８】
実施の形態５．
図１２は、この発明に係るマルチモニタ構成のプラント監視制御装置の実施の形態５における情報処理装置内部の構成を示すブロック図、図１３は、図１２のモニタ数管理手段１０９に保存している内部テーブル、図１４は、ポインタ位置確認手段１０４ｂの動作を説明するフローチャートである。
【００３９】
この実施の形態５では、図１に示したポインタ装置１４にホイール型の操作器が付属し、このホイール型の操作器を回転させることで操作対象モニタを変更することができるようにしたものである。
【００４０】
図１２に示したように、この実施の形態５では、プラント情報装置１０内部にモニタ数管理手段１０９を備える。
【００４１】
図１３に示したように、ポインタ位置確認手段１０４ｂは、運転員の図１に示したポインタ装置１４の操作をポインタ装置入力手段１０３から受信すると（Ｓ１４０）、ホイールの回転入力か判定し（Ｓ１４１）、ホイールの回転入力でなければポインタの入力終了か判定し（Ｓ１４７）、ポインタの入力終了であれば完了し、ポインタの入力終了でなければ、再度ホイールの回転入力か判定する（Ｓ１４１）。
【００４２】
Ｓ１４１において、ホイールの回転入力と判定した場合、操作対象モニタ保存手段１０７に現在の操作対象モニタを問い合わせ（Ｓ１４２）、ホイールの回転が順方向であるか判定する（Ｓ１４３）。Ｓ１４３において、ホイールの回転が順方向であれば、現在操作対象となっているモニタ（例えば、図１３のモニタ番号１）の次のモニタ（例えば、図１３のモニタ番号２）をモニタ数管理手段１０９に問い合わせ（Ｓ１４４）、その応答結果を操作対象モニタ保存手段１０７に登録する（Ｓ１４６）。また、Ｓ１４３において、ホイールの回転が逆方向と判定された場合は、現在操作対象となっているモニタ（例えば、図１３のモニタ番号２）の前のモニタ（例えば、図１３のモニタ番号１）をモニタ数管理手段１０９に問い合わせ、その応答結果を操作対象モニタ保存手段１０７に登録する（Ｓ１４６）。Ｓ１４６において操作対象モニタ保存手段１０７への登録が完了した後、ポインタ入力が終了か判定し（Ｓ１４７）、終了であれば完了し、終了でなければ再度ホイールの回転入力か判定する（Ｓ１４１）。
【００４３】
以上のように、この実施の形態５によれば、ポインタ装置１４に付属するホイール型の操作器を回転させることで、平易に操作対象モニタを変更することができる。
【００４４】
特に、モニタ数が多い場合の操作対象モニタの変更においては、上記実施の形態１または２の場合、ポインタ装置１４のポインタ１４１を大きく移動する必要があったが、この実施の形態５によれば、ホイールの操作のみであるので、運転員の操作量を削減することができる。
【００４５】
実施の形態６．
図１５は、この発明に係るマルチモニタ構成のプラント監視制御装置の実施の形態６における情報処理装置内部の構成を示すブロック図、図１６は、操作設定処理手段１０６ｂの動作を説明するフローチャートである。
【００４６】
この実施の形態６は、上記実施の形態４における操作設定装置１３に付属するボタンに代えて、選択するモニタを順送りまたはび逆送りするモニタ展開ボタンを割り付けたものである。
【００４７】
図１５に示したように、この実施の形態６における情報処理装置内部の構成は上記実施の形態５と同様の構造を有するものを用いている。
【００４８】
図１６に示したように、操作設定処理手段１６ｂは、運転員の操作設定装置１３の操作による操作設定入力情報を操作設定装置入力手段１０５から受信すると（Ｓ１６０）、モニタ展開ボタンの押下か判定し（Ｓ１６１）、モニタ展開ボタンの押下でなければ操作設定入力終了か判定し（Ｓ１６７）、操作設定入力終了であれば完了し（Ｓ１６８）、操作設定入力終了でなければ、再度、モニタ展開ボタンの押下であるかを判定する（Ｓ１６１）。
【００４９】
Ｓ１６１において、モニタ展開ボタンの押下と判定した場合は、操作対象モニタ保存手段１０７に現在の操作対象モニタを問い合わせ（Ｓ１６２）、順送りボタン押下か判定し（Ｓ１６３）、順送りボタン押下であれば現在の操作対象モニタの次のモニタをモニタ数管理手段１０９に問い合わせ（Ｓ１６４）、その応答結果を操作対象モニタ保存手段１０７に登録する（Ｓ１６６）。また、Ｓ１６３において、押下されたボタンが逆送りであれば、現在の操作対象モニタの前のモニタをモニタ数管理手段１０９に問い合わせ（Ｓ１６４）、その応答結果を操作対象モニタ保存手段１０７に登録する（Ｓ１６６）。Ｓ１６６における登録の後、操作設定入力終了か判定し（Ｓ１６７）、操作設定入力終了であれば完了し（Ｓ１６８）、操作設定入力終了でなければ、再度、モニタ展開ボタンの押下であるか判定する（Ｓ１６１）。
【００５０】
以上のように、この実施の形態６によれば、操作設定装置１３に付属するボタンに予めモニタ番号を割り付けておき、操作設定装置１３の付属ボタンの順送りまたは逆送りを押下することで操作対象モニタを平易に変更することができる。特に、モニタ数が多い場合の操作対象モニタの変更の際は、上記実施の形態４では操作設定装置１３にモニタ数に対応して信号を割り付けたボタンを設ける必要があるが、この実施の形態６によれば、順送り及び逆送りの２つのボタンを設ければよいので操作設定装置１３のボタンの使用量を削減することができる。
【産業上の利用可能性】
【００５１】
本発明に係るマルチモニタ構成のプラント監視制御装置は、上下水道プラント等各種産業プラントにに有効に利用することができる。
【図面の簡単な説明】
【００５２】
【図１】この発明に係るマルチモニタ構成のプラント監視制御装置の実施の形態１を示すブロック図である。
【図２】図１における情報処理装置内部の構成を示すブロック図である。
【図３】実施の形態１におけるプラント情報処理装置の動作を説明するフローチャートである。
【図４】実施の形態１におけるプラント情報処理装置の動作を説明するフローチャートである。
【図５】実施の形態２におけるプラント情報処理装置である。
【図６】実施の形態２におけるポインタ位置確認手段の動作を示すフローチャートである。
【図７】この発明に係るマルチモニタ構成のプラント監視制御装置の実施の形態３を示すブロック図である。
【図８】実施の形態３における情報処理装置内部の構成を示すブロック図である。
【図９】実施の形態３における情報処理装置内部のプラント情報処理手段の動作を説明するフローチャートである。
【図１０】この発明に係るマルチモニタ構成のプラント監視制御装置の実施の形態４における情報処理装置内部の構成を示すブロック図である。
【図１１】実施の形態４における情報処理装置内部の操作設定処理手段の動作を説明するフローチャートである。
【図１２】この発明に係るマルチモニタ構成のプラント監視制御装置の実施の形態５における情報処理装置内部の構成を示すブロック図である。
【図１３】図１２のモニタ数管理手段に保存している内部テーブルである。
【図１４】実施の形態５におけるポインタ位置確認手段の動作を説明するフローチャートである。
【図１５】この発明に係るマルチモニタ構成のプラント監視制御装置の実施の形態６における情報処理装置内部の構成を示すブロック図である。
【図１６】実施の形態６における操作設定処理手段の動作を説明するフローチャートである。
【符号の説明】
【００５３】
１０  プラント情報処理装置、１１，１２  モニタ、１３  操作設定装置、
１４  ポインタ装置、２０  プラント情報バス、
１０１，１０１ａ  プラント情報処理手段、１０２  マルチモニタ表示手段、
１０３  ポインタ装置入力手段、１０４，１０４ｂ  ポインタ位置確認手段、
１０５  操作設定装置入力手段、１０６，１０６ａ，１０６ｂ  操作設定処理手段、
１０７  操作対象モニタ保存手段、１０８  情報バス入出力手段、
１０９  モニタ数管理手段、１１１，１２１  プラント監視画面、
１１２，１２２  シンボル、１１３，１２３  強調表示エリア、１４１  ポインタ。
【図１】
2008152613.tif 000003
【図２】
2008152613.tif 000004
【図３】
2008152613.tif 000005
【図４】
2008152613.tif 000006
【図５】
2008152613.tif 000007
【図６】
2008152613.tif 000008
【図７】
2008152613.tif 000009
【図８】
2008152613.tif 000010
【図９】
2008152613.tif 000011
【図１０】
2008152613.tif 000012
【図１１】
2008152613.tif 000013
【図１２】
2008152613.tif 000014
【図１３】
2008152613.tif 000015
【図１４】
2008152613.tif 000016
【図１５】
2008152613.tif 000017
【図１６】
2008152613.tif 000018